(57)【要約】【課題】互いに異なる複数の当選役に重複して当選した場合において、回転リールの回転を停止する動作が単調になることを防止したスロットマシンを提供する。【解決手段】スロットマシンは、回転リールの停止制御を行う停止制御手段と、複数の当選役のいずれに入賞か又は入賞なしかの判定を行う入賞判定手段と、過去の複数ゲームにおける入賞判定手段の入賞判定結果に関する情報を記憶する入賞判定情報記憶手段と、重複当選する複数の当選役の中で優先的に入賞させる一の優先入賞当選役について、入賞判定情報記憶手段の記憶に基づいて決定する優先入賞決定手段とを備える。停止制御手段は、当選抽選手段の抽選により重複当選した場合において、優先入賞当選役に係る図柄の組み合わせを優先的に揃い得るように停止制御を行う。【選択図】図９
2010259707.tif 000002
【特許請求の範囲】
【請求項１】
表面に複数個の図柄が付された複数個の回転リールと、
各回転リールの回転を開始させるためのスタートスイッチと、
各回転リールに対応して設けられ、対応する回転リールの回転を停止させるためのストップスイッチと、
スタートスイッチの操作を契機に、複数の当選役のいずれに当選か又はハズレかの抽選を行う当選抽選手段と、
ストップスイッチの操作を契機に、対応する回転リールの回転位置及び当選抽選手段の抽選結果に基づいて、当該回転リールの停止制御を行う停止制御手段とを備え、
当選抽選手段の抽選により、互いに異なる複数の当選役に重複して当選すること（以下「重複当選」という。）があり、
各回転リールが当選役の図柄の組み合わせを揃えるように回転を停止すると、当該当選役の入賞となるスロットマシンであって、
すべての回転リールの回転が停止したことを契機に、複数の当選役のいずれに入賞か又は入賞なしかの判定を行うための入賞判定手段と、
過去の複数ゲームにおける入賞判定手段の入賞判定結果に関する情報を記憶する入賞判定情報記憶手段と、
重複当選する複数の当選役の中で優先的に入賞させる一の当選役（以下「優先入賞当選役」という。）について、入賞判定情報記憶手段の記憶に基づいて決定する優先入賞決定手段とを備え、
停止制御手段は、当選抽選手段の抽選により重複当選した場合において、優先入賞当選役に係る図柄の組み合わせを優先的に揃い得るように停止制御を行うことを特徴とするスロットマシン。
【請求項２】
表面に複数個の図柄が付された複数個の回転リールと、
各回転リールの回転を開始させるためのスタートスイッチと、
各回転リールに対応して設けられ、対応する回転リールの回転を停止させるためのストップスイッチと、
スタートスイッチの操作を契機に、複数の当選役のいずれに当選か又はハズレかの抽選を行う当選抽選手段と、
ストップスイッチの操作を契機に、対応する回転リールの回転位置及び当選抽選手段の抽選結果に基づいて、当該回転リールの停止制御を行う停止制御手段とを備え、
当選抽選手段の抽選により重複当選することがあり、
各回転リールが当選役の図柄の組み合わせを揃えるように回転を停止すると、当該当選役の入賞となるスロットマシンであって、
すべての回転リールの回転が停止したことを契機に、複数の当選役のいずれに入賞か又は入賞なしかの判定を行うための入賞判定手段と、
過去の複数ゲームにおける入賞判定手段の入賞判定結果に関する情報を記憶する入賞判定情報記憶手段と、
複数個のストップスイッチについて互いに異なる複数の操作順序のそれぞれに、重複当選する複数の当選役のいずれか一つを、入賞判定情報記憶手段の記憶に基づいて対応付ける操作順序対応当選役決定手段とを備え、
停止制御手段は、当選抽選手段の抽選により重複当選した場合において、操作順序対応当選役決定手段による対応付けに基づき、現実のストップスイッチの操作順序に対応した当選役に係る図柄の組み合わせを優先的に揃い得るように停止制御を行うことを特徴とするスロットマシン。
【請求項３】
入賞判定情報記憶手段は、過去の複数ゲームにおける入賞判定手段の入賞判定結果に関する情報として、当選抽選手段の抽選により重複当選した場合において入賞判定手段により優先入賞当選役の入賞と判定された回数を記憶し、
優先入賞決定手段は、入賞判定情報記憶手段の記憶する回数が所定回数に達したことを契機に、優先入賞当選役を決定し直すことを特徴とする請求項１に記載のスロットマシン。
【請求項４】
入賞判定情報記憶手段は、過去の複数ゲームにおける入賞判定手段の入賞判定結果に関する情報として、当選抽選手段の抽選により重複当選した場合において入賞判定手段により所定の一の当選役の入賞と判定された回数を記憶し、
操作順序対応当選役決定手段は、入賞判定情報記憶手段の記憶する回数が所定回数に達したことを契機に、改めて対応付けを行うことを特徴とする請求項２に記載のスロットマシン。
【発明の詳細な説明】
【技術分野】
【０００１】
本発明は、スロットマシンに関し、さらに詳しくは、互いに異なる複数の当選役に重複して当選した場合において、回転リールの回転を停止する動作が単調になることを防止したスロットマシンに関するものである。
【背景技術】
【０００２】
従来、遊技媒体としてメダルを用いて遊技を行う遊技機には、周面に複数の図柄が付された３個の回転リールと、各回転リールの回転を開始させるためのスタートスイッチと、対応する回転リールの回転を停止させるためのストップスイッチとを備えたスロットマシンが知られている。
このようなスロットマシンでは、メダルがベットされると、ゲームが開始可能になる。そして、スタートスイッチの操作を契機に、３個の回転リールが回転を開始するとともに、複数の当選役のいずれに当選かまたはハズレかの抽選が行われる。この抽選で当選役に当選した場合には、ストップスイッチが操作されると、当該当選役に係る図柄の組み合わせを有効ラインに揃い得るように各回転リールの停止制御が行われる。さらに、すべての回転リールの回転が停止されたときに、当選役に係る図柄の組み合わせが有効ラインに揃うと、当該当選役の入賞となって遊技者に所定の利益が付与される。例えば、「小役」に入賞すると、所定枚数のメダルが遊技者に支払われる。
【０００３】
また、特許文献１に記載のスロットマシンでは、互いに異なる複数の小役（第１小役と第２小役）に重複して当選することがある。そして、所定のタイミングでストップスイッチが操作された場合には、第１小役を入賞させるように停止制御が行われ、それ以外のタイミングでストップスイッチが操作された場合には、第２小役を入賞させるように停止制御が行われる。
【先行技術文献】
【特許文献】
【０００４】
【特許文献１】特開２００８−４３４６９号公報
【発明の概要】
【発明が解決しようとする課題】
【０００５】
ところで、特許文献１に記載のスロットマシンでは、第１小役と第２小役とが重複して当選する場合において、常に第１小役を入賞させるように停止制御が行われることから、回転リールの回転を停止する動作が単調になる傾向がある。特に一定のリズムや操作順序でストップスイッチの操作が繰り返されると、こうした傾向が一層強くなり、遊技の興趣が損なわれるという問題があった。
そこで、本発明は、上述のような問題に鑑みてなされたものであり、その目的とするところは、互いに異なる複数の当選役に重複して当選した場合において、回転リールの回転を停止する動作が単調になることを防止することにより、遊技の興趣が損なわれないスロットマシンを提供することである。
【課題を解決するための手段】
【０００６】
（請求項１）
請求項１に記載の発明は、表面に複数個の図柄が付された複数個の回転リール(23)と、各回転リール(23)の回転を開始させるためのスタートスイッチ(53)と、各回転リール(23)に対応して設けられ、対応する回転リール(23)の回転を停止させるためのストップスイッチ(54)と、スタートスイッチ(53)の操作を契機に、複数の当選役のいずれに当選か又はハズレかの抽選を行う当選抽選手段(130)と、ストップスイッチ(54)の操作を契機に、対応する回転リール(23)の回転位置及び当選抽選手段(130)の抽選結果に基づいて、当該回転リール(23)の停止制御を行う停止制御手段(160)とを備え、当選抽選手段(130)の抽選により、互いに異なる複数の当選役に重複して当選すること（以下「重複当選」という。）があり、各回転リール(23)が当選役の図柄の組み合わせを揃えるように回転を停止すると、当該当選役の入賞となるスロットマシン(S)であって、すべての回転リール(23)の回転が停止したことを契機に、複数の当選役のいずれに入賞か又は入賞なしかの判定を行うための入賞判定手段(170)と、過去の複数ゲームにおける入賞判定手段(170)の入賞判定結果に関する情報を記憶する入賞判定情報記憶手段(200)と、重複当選する複数の当選役の中で優先的に入賞させる一の当選役（以下「優先入賞当選役」という。）について、入賞判定情報記憶手段(200)の記憶に基づいて決定する優先入賞決定手段(210)とを備え、停止制御手段(160)は、当選抽選手段(130)の抽選により重複当選した場合において、優先入賞当選役に係る図柄の組み合わせを優先的に揃い得るように停止制御を行うことを特徴とするスロットマシン(S)に関するものである。
【０００７】
（請求項２）
請求項２に記載の発明は、表面に複数個の図柄が付された複数個の回転リール(23)と、各回転リール(23)の回転を開始させるためのスタートスイッチ(53)と、各回転リール(23)に対応して設けられ、対応する回転リール(23)の回転を停止させるためのストップスイッチ(54)と、スタートスイッチ(53)の操作を契機に、複数の当選役のいずれに当選か又はハズレかの抽選を行う当選抽選手段(130)と、ストップスイッチ(54)の操作を契機に、対応する回転リール(23)の回転位置及び当選抽選手段(130)の抽選結果に基づいて、当該回転リール(23)の停止制御を行う停止制御手段(160)とを備え、当選抽選手段(130)の抽選により重複当選することがあり、各回転リール(23)が当選役の図柄の組み合わせを揃えるように回転を停止すると、当該当選役の入賞となるスロットマシン(S)であって、すべての回転リール(23)の回転が停止したことを契機に、複数の当選役のいずれに入賞か又は入賞なしかの判定を行うための入賞判定手段(170)と、過去の複数ゲームにおける入賞判定手段(170)の入賞判定結果に関する情報を記憶する入賞判定情報記憶手段(200)と、複数個のストップスイッチ(54)について互いに異なる複数の操作順序のそれぞれに、重複当選する複数の当選役のいずれか一つを、入賞判定情報記憶手段(200)の記憶に基づいて対応付ける操作順序対応当選役決定手段とを備え、停止制御手段(160)は、当選抽選手段(130)の抽選により重複当選した場合において、操作順序対応当選役決定手段による対応付けに基づき、現実のストップスイッチ(54)の操作順序に対応した当選役に係る図柄の組み合わせを優先的に揃い得るように停止制御を行うことを特徴とするスロットマシン(S)に関するものである。
【０００８】
（請求項３）
請求項３に記載の発明は、請求項１に記載の発明の特徴に加え、入賞判定情報記憶手段(200)は、過去の複数ゲームにおける入賞判定手段(170)の入賞判定結果に関する情報として、当選抽選手段(130)の抽選により重複当選した場合において入賞判定手段(170)により優先入賞当選役の入賞と判定された回数を記憶し、優先入賞決定手段(210)は、入賞判定情報記憶手段(200)の記憶する回数が所定回数に達したことを契機に、優先入賞当選役を決定し直すことを特徴とするスロットマシン(S)に関するものである。
（請求項４）
請求項４に記載の発明は、請求項２に記載の発明の特徴に加え、入賞判定情報記憶手段200は、過去の複数ゲームにおける入賞判定手段170の入賞判定結果に関する情報として、当選抽選手段130の抽選により重複当選した場合において入賞判定手段170により所定の一の当選役の入賞と判定された回数を記憶し、操作順序対応当選役決定手段は、入賞判定情報記憶手段200の記憶する回数が所定回数に達したことを契機に、改めて対応付けを行うことを特徴とするスロットマシン(S)に関するものである。
【発明の効果】
【０００９】
（請求項１または３）
請求項１または３に記載の発明によれば、過去の複数ゲームにおける入賞判定結果に関する情報を記憶するとともに、記憶した情報に基づいて優先入賞当選役を決定する。そして、抽選で重複当選した場合には、優先入賞当選役を優先的に入賞させるように停止制御を行うようになっている。これにより、回転リールの回転を停止する動作が単調になることを防止でき、遊技の興趣が損なわれないスロットマシンを提供することができる。
（請求項２または４）
請求項２または４に記載の発明によれば、過去の複数ゲームにおける入賞判定結果に関する情報を記憶するとともに、記憶した情報に基づいてストップスイッチの操作順序のそれぞれに複数の当選役のいずれか一つを対応付ける。そして、抽選で重複当選した場合には、この対応付けに基づき、現実のストップスイッチの操作順序に対応した当選役を優先的に入賞させるように停止制御を行うようになっている。これにより、回転リールの回転を停止する動作が単調になることを防止でき、遊技の興趣が損なわれないスロットマシンを提供することができる。
【図面の簡単な説明】
【００１０】
【図１】第１の実施の形態に係るスロットマシンを示す斜視図である。
【図２】第１の実施の形態に係るスロットマシンにおいて前扉を取り外した状態を示す斜視図である。
【図３】第１の実施の形態に係るスロットマシンにおける図柄表示窓及び有効ラインを示す正面図である。
【図４】第１の実施の形態に係るスロットマシンにおける各回転リールのリールテープを展開して示す展開図である。
【図５】第１の実施の形態に係るスロットマシンにおける制御装置の入力、制御及び出力の概略を示すブロック図である。
【図６】第１の実施の形態に係るスロットマシンにおける当選役、及び当選役の図柄の組み合わせを説明する説明図である。
【図７】第１の形態に係るスロットマシンにおける遊技の制御の概略を示すフローチャートである。
【図８】第１の実施の形態に係るスロットマシンにおける停止制御処理を示すフローチャートである。
【図９】第１の実施の形態に係るスロットマシンにおける優先入賞決定処理を示すフローチャートである。
【図１０】第２の実施の形態に係るスロットマシンにおける停止制御処理を示すフローチャートである。
【図１１】第２の実施の形態に係るスロットマシンにおける操作順序対応当選役決定処理を示すフローチャートである。
【発明を実施するための形態】
【００１１】
本発明を実施するための形態を２例挙げて、図面を参照しつつ順次説明する。
（第１の実施の形態）
（スロットマシンS）
本実施の形態に係るスロットマシンSは、遊技媒体としてメダルを用いて遊技が行われる。ここで、「正面」とは、スロットマシンSにおける、遊技者が遊技を行う際に向き合う面をいう。また、「右側」とは、スロットマシンSの正面に向き合う遊技者から見て右側を意味し、「左側」とは、スロットマシンSの正面に向き合う遊技者から見て左側を意味する。
【００１２】
スロットマシンSは、図１及び図２に示すように、正面側に開口する正面開口部11を有する箱形の筐体1を備えている。筐体1の内部には、高さ方向略中央で水平となるように中板12が設けられている。また、筐体1の正面には、筐体1の正面開口部11を開閉可能に閉塞する前扉3が設けられている。前扉3は、正面開口部11の上部を開閉可能に閉塞する上扉30と、正面開口部11の下部を開閉可能に閉塞する下扉40とを備えている。
また、筐体1の底板には、各部品に電力を供給するための電源装置を内蔵した電源ユニット4と、メダルを貯留するとともに、その貯留したメダルを受け皿43へ払い出すためのホッパー5とが設置されている。ホッパー5は、特に図示しないが、複数のメダルを貯留することが可能なメダルタンクと、メダルタンクに貯留されているメダルを１枚ずつ排出するための払出装置6と、払出装置6により排出されたメダルを検出するための払出センサー7とを備えている。また、払出装置6により排出されたメダルは、メダル排出部44を通って受け皿43に払い出されるようになっている。
【００１３】
また、筐体１の内部には、３個の回転リール23を有するリールユニット22と、スロットマシンSの遊技を制御するための遊技制御装置100とが設けられている。
リールユニット22は、３個の回転リール23（左側に位置する「左回転リール23L」、中央に位置する「中央回転リール23M」、右側に位置する「右回転リール23R」）と、それぞれの駆動軸に固定された回転リール23を回転駆動するための３個のステッピングモータ26とを備えている。また、各回転リール23は、合成樹脂からなる回転ドラムと、回転ドラムの周囲に貼付されるテープ状のリールテープ28とを備えている。このリールテープ28の外周面には、図４に示すように、「７（赤色）」、「７（白色）」、「ＢＡＲ」、「ベル」、「スイカ」、「チェリー」、「ＲＥＰ」及び「花」の図柄が配置されている。また、各回転リール23の回転ドラムには、突起状のインデックスが設けられるとともに、リールユニット22の所定位置には、インデックスを検出するためのインデックスセンサー27が設けられている。
【００１４】
上扉30の略中央部には、各回転リール23の図柄を正面側から視認可能にするための図柄表示窓31が設けられている。また、図３に示すように、図柄表示窓31には、水平に伸びる上段の有効ライン37（第一有効ライン37A）、水平に伸びる下段の有効ライン37（第二有効ライン37B）、図柄表示窓31の対角線に伸びる右下がりの有効ライン37（第三有効ライン37C）、図柄表示窓31の対角線に伸びる右上がりの有効ライン37（第四有効ライン37D）の４本が形成されている。ここで、各有効ライン37に図柄を適正に表示する時の回転リール23の停止位置を、「停止基準位置」という。各回転リール23には、図柄が２１個ずつ付されていることから、停止基準位置も２１ずつ存在する。
【００１５】
また、図柄表示窓31の上方には、図１に示すように、画像表示装置34（例えば、液晶ディスプレイやＣＲＴ等）が設けられている。また、上扉30における画像表示装置34の周りには、ランプ33が設けられている。また、図柄表示窓31の下方には、クレジットされたメダルの枚数や遊技の設定値を表示するための数値表示部32（例えば、７セグメント表示器等）が設けられている。ここで、クレジットとは、メダル投入口42から投入され、メダルセレクター46により正規なメダルとしてホッパー5へ移送されるメダル、または所定の入賞により払い出されるメダルを、スロットマシンS内部に電子的に貯留することである。
また、上扉30の裏面には、図２に示すように、スロットマシンSの演出を制御するための演出制御装置300と、種々のサウンドを出力するためのスピーカ35とが設けられている。
【００１６】
下扉40の上部には、図１に示すように、スロットマシンSを操作するための操作部50が設けられている。操作部50には、クレジットされたメダルを減じてメダルの投入に代えるためのベットスイッチ51、クレジットされたメダルを払い出すための精算スイッチ52、ゲームを開始させるためのスタートスイッチ53、回転リール23の回転を停止させるための３個のストップスイッチ54（左回転リール23Lに対応する「左ストップスイッチ54L」、中央回転リール23Mに対応する「中央ストップスイッチ54M」、右回転リール23Rに対応する「右ストップスイッチ54R」）が設けられている。
また、下扉40には、メダルを１枚ずつ投入するためのメダル投入口42と、スロットマシンS内部よりメダルを排出するためのメダル払い出し口41と、メダル払い出し口41から排出されたメダルを溜めておくための受け皿43とが設けられている。
【００１７】
また、下扉40の裏面には、図２に示すように、メダル投入口42から投入されたメダルを誘導しながら真贋で選別するためのメダルセレクター46と、メダルセレクター46の下方に開口し、メダル払い出し口41に連通するメダル排出部44と、種々のサウンドを出力するためのスピーカ45とが設けられている。メダルセレクター46は、メダル投入口42から投入されたメダルをホッパー5へ誘導するためのメダル通路と、メダル通路の下流まで流下したメダルを検出するための投入センサー47と、メダル通路を流下するメダルを投入センサー47に検出される前にメダル排出部44へ排除するためのブロッカー装置48とを備えている。ブロッカー装置48は、１ゲームが進行している最中や、クレジットされているメダルが上限の５０枚に達しているときに、メダル通路を流下するメダルをメダル排出部44へ排除するようになっている。
【００１８】
なお、画像表示装置34に所定の画像を表示させたり、スピーカ35,45から所定の音声を出力させたり、ランプ33を所定のパターンで点滅させたり等することにより、遊技を演出する演出装置として機能させることができる。
（制御装置10）
制御装置10は、スロットマシンSを制御するためのものである。
本実施の形態では、制御装置10は、主にスロットマシンSの遊技を制御する遊技制御装置100と、遊技制御装置100からの信号を受信して、主にスロットマシンSの演出を制御する演出制御装置300とを備えている。また、遊技制御装置100及び演出制御装置300は、ＣＰＵを中心に構成され、ＲＯＭ、ＲＡＭ、Ｉ／Ｏ、乱数発生器等を備えている。
【００１９】
また、図５に示すように、遊技制御装置100の入力段には、ベットスイッチ51、精算スイッチ52、スタートスイッチ53、ストップスイッチ54、インデックスセンサー27、払出センサー7、及び投入センサー47などのパーツが接続され、遊技制御装置100の出力段には、ステッピングモータ26、払出装置6、ブロッカー装置48、及び数値表示部32などのパーツが接続されている。
また、遊技制御装置100は、ＣＰＵがＲＯＭに記憶されたプログラムを実行することにより、通常遊技制御手段110、特別遊技制御手段120、当選抽選手段130、回転制御手段140、回転位置判断手段150、停止制御手段160、入賞判定手段170、ベット数記憶手段180、支払制御手段190、入賞判定情報記憶手段200、優先入賞決定手段210などとして機能する（図５参照）。
【００２０】
また、図５に示すように、演出制御装置300の出力段には、ランプ33、画像表示装置34、及びスピーカ35,45などのパーツが接続されている。
また、演出制御装置300は、ＣＰＵがＲＯＭに記憶されたプログラムを実行することにより、画像データ記憶手段310、画像表示制御手段320、音声データ記憶手段330、音声出力制御手段340、ランプ点滅制御手段350、ミッション開始抽選手段360、ミッション演出制御手段370、アシストタイム制御手段380などとして機能する（図５参照）。
次に、遊技制御装置100が備える各手段について説明する。
（ベット数記憶手段180）
ベット数記憶手段180は、ベットされたメダルの枚数（以下「ベット数」という）を記憶するためのものである。具体的には、ベット数記憶手段180は、メダル投入口42からメダルが投入されて、投入センサー47がメダルを検出すると、ベット数に「１」を加算する更新を行う。また、ベット数記憶手段180のベット数には、上限が設定されている。本実施の形態では、ベット数記憶手段180のベット数の上限は「３」に設定されている。
【００２１】
また、ベット数記憶手段180のベット数が「３」まで加算されると、すべての有効ライン37が有効化される。
（通常遊技制御手段110）
通常遊技制御手段110は、通常遊技を行わせるためのものである。
ここで、本実施の形態における通常遊技について説明する。
ベット数記憶手段180の記憶するベット数が「３」である場合に、スタートスイッチ53が操作されると、リールユニット22の各ステッピングモータ26の駆動により各回転リール23が回転を開始する。
【００２２】
その後、ストップスイッチ54が操作されると、対応する回転リール23がいずれかの停止基準位置に停止する。そして、すべての回転リール23が停止基準位置に停止したときに、当選役の図柄の組み合わせが有効ライン37に揃うと、当該当選役の入賞となって遊技者に所定の利益が付与される。
ここで、当選役、及び当選役の図柄の組み合わせを、図６を参照しつつ説明する。本実施の形態では、当選役には、入賞により特別遊技（ビッグボーナス）に移行する「赤セブン当選役」と、入賞により特別遊技（レギュラーボーナス）に移行する「白セブン当選役」と、入賞によりメダルを新たにベットすることなく再度１ゲームを行うことが可能な再遊技となる「リプレイ当選役」と、入賞により有効ライン１本につきメダル１０枚が支払われる「ベル当選役」と、入賞により有効ライン１本につきメダル１０枚が支払われる「スイカ当選役」と、入賞により有効ライン１本につきメダル５枚が支払われる「二連チェリー当選役」と、入賞により有効ライン１本につきメダル５枚が支払われる「フラワー当選役」と、入賞により有効ライン１本につきメダル２枚が支払われる「単チェリー当選役」と、がある。
【００２３】
（特別遊技制御手段120）
特別遊技制御手段120は、当選抽選手段130の抽選結果に基づいて、遊技者に有利な特別遊技を行わせるためのものである。本実施の形態では、特別遊技として、ビッグボーナス（以下「ＢＢ」という。）と、レギュラーボーナス（以下「ＲＢ」という。）とを実行可能である。
具体的には、通常遊技において「７（赤色）」の図柄が有効ライン37に３個揃うと、ＢＢに移行される。そして、ＢＢ中に３２０枚を超えるメダルの支払いが行われると、ＢＢを終了して通常遊技に移行する。
【００２４】
また、通常遊技において「ＢＡＲ」の図柄が有効ライン37に３個揃うと、ＲＢに移行される。そして、ＲＢ中に当選役に８回入賞する、またはＲＢ中に１２ゲーム行うと、ＲＢを終了して通常遊技に移行する。
なお、特別遊技中に当選し得る当選役は、「ベル当選役」、「スイカ当選役」、「二連チェリー当選役」、「フラワー当選役」及び「単チェリー当選役」である。また、特別遊技中は、これらの当選役に当選する確率が通常遊技中よりも高くなるように設定されている。
（当選抽選手段130）
当選抽選手段130は、複数の当選役のいずれに当選かまたはハズレかの抽選を行うためのものである。
【００２５】
本実施の形態では、当選抽選手段130の抽選結果には、「赤セブン当選役」の当選となる「赤セブン当選」と、「白セブン当選役」の当選となる「白セブン当選」と、「リプレイ当選役」の当選となる「リプレイ当選」と、「単チェリー当選役」の当選となる「単チェリー当選」と、いずれの当選役にも入賞不可能となる「ハズレ」とがある。
また、当選抽選手段130の抽選により、互いに異なる複数の当選役に重複して当選すること（以下「重複当選」という。）がある。具体的には、当選抽選手段130の抽選結果に、「ベル当選役」及び「スイカ当選役」の重複当選となる「ＢＳ重複当選」と、「二連チェリー当選役」及び「フラワー当選役」の重複当選となる「２Ｆ重複当選」と、がある。
【００２６】
また、遊技制御装置100のＲＯＭには、乱数発生器の発生させる各乱数について、いずれの当選役に当選かまたはハズレかを割り振ったテーブルが格納されている。本実施の形態では、通常遊技用の当選判定テーブル、ボーナス当選フラグ保有時の通常遊技用の当選判定テーブル、ＢＢ用の当選判定テーブル、ＲＢ用の当選判定テーブル等がＲＯＭに格納されている。これらの当選判定テーブルには、上述した抽選結果のいずれかに対応する領域が割り振られている。
当選抽選手段130は、スタートスイッチ54の操作を契機に、乱数発生器の発生する乱数から１つの数値が抽出し、抽出乱数データとする。そして、抽出した抽出乱数データを、遊技状態などに応じて選択した当選判定テーブルにおける当選役の当選領域と対比して、抽出乱数データがいずれかの当選領域に属する場合には当該当選領域に対応する当選を決定し、当該抽出乱数データがいずれの当選領域にも属さない場合には、「ハズレ」の決定をする。
【００２７】
なお、この抽選で当選すると、当該当選に対応した当選フラグが遊技制御装置100のＲＡＭの所定領域に設定される。「当選フラグ」は、当選役の当選について関連づけされた変数であり、制御装置10に当選抽選手段130の抽選結果を記憶させるためのものである。本実施の形態には、上述した各当選役に対応する当選フラグ（例えば、「赤セブン当選役」に対応する「赤セブン当選フラグ」など）がある。また、これらの当選フラグは、「小役当選フラグ」と「ボーナス当選フラグ」とに分類される。
「ボーナス当選フラグ」は、遊技制御装置100のＲＡＭの所定領域に設定された場合に、当該当選フラグに係る当選役の図柄の組み合わせが有効ライン37に表示されないときに、消去されずに次のゲームに持ち越される当選フラグを意味する。本実施の形態では、「赤セブン当選役」に対応した「赤セブン当選フラグ」、及び「白セブン当選役」に対応した「白セブン当選フラグ」が、ボーナス当選フラグである。
【００２８】
「小役当選フラグ」は、遊技制御装置100のＲＡＭの所定領域に設定された場合に、当該当選フラグに係る当選役の図柄の組み合わせが有効ライン37に表示されないときに、次のゲームが開始される前に消去される当選フラグを意味する。本実施の形態では、「赤セブン当選フラグ」及び「白セブン当選フラグ」を除いた他の当選フラグが、小役当選フラグである。
そして、抽選で当選すると、当該当選に対応した当選フラグが遊技制御装置100のＲＡＭの所定領域に設定される。例えば、「赤セブン当選」となった場合には、ＲＡＭの所定領域に「赤セブン当選フラグ」が設定され、「単チェリー当選」となった場合には、ＲＡＭの所定領域に「単チェリー当選フラグ」が設定される。また、例えば、「ＢＳ重複当選」となった場合には、ＲＡＭの所定領域に「ベル当選フラグ」及び「スイカ当選フラグ」が設定され、「２Ｆ重複当選」となった場合には、ＲＡＭの所定領域に「二連チェリー当選フラグ」及び「フラワー当選フラグ」が設定される。
【００２９】
（回転制御手段140）
回転制御手段140は、スタートスイッチ53の操作を契機に各回転リール23の回転を開始させるとともに、各回転リール23を一定の回転速度で回転させるためのものである。
具体的には、回転制御手段140は、ベット数記憶手段180の記憶するベット数が「３」である場合において、スタートスイッチ53の操作を契機に、各ステッピングモータ26の回転駆動を開始させて、各回転リール23の回転を開始させる。また、各回転リール23の回転が一定の回転速度に達するまで加速するように、各ステッピングモータ26の回転駆動を制御する。そして、各回転リール23の回転が一定の回転速度まで加速すると、各回転リール23が一定の回転速度を保って定常回転するように、各ステッピングモータ26の回転駆動を制御するようになっている。
【００３０】
（回転位置判断手段150）
回転位置判断手段150は、各回転リール23の回転位置を特定するためのものである。
具体的には、各回転リール23が一定の回転速度まで回転を加速して定常回転になったことを契機に、各インデックスセンサー27によるインデックスの検出を開始する。そして、インデックスセンサー27がインデックスを検出したことを契機に、ステッピングモータ26のパルス数をカウントするとともに、このパルス数に基づいて対応する回転リール23の回転位置を特定する。なお、カウントしたパルス数は、インデックスを検出する度にリセットされ、あらたにパルス数がカウントされる。
【００３１】
また、各回転リール23に２１個ずつ付された図柄には、インデックスセンサー27がインデックスを検出した時の回転位置を基準にした図柄番号が割り振られている。具体的には、インデックスセンサー27がインデックスを検出したときに第一有効ライン37A上にある図柄から、順次「００」〜「２０」の図柄番号が割り振られている。また、それぞれの図柄番号に対応する図柄の種類を各回転リール23毎に記憶している。そして、回転リール23の回転位置、すなわちパルス数に基づいて、第一有効ライン37A上にある図柄の図柄番号を特定し、この図柄番号に基づいて図柄の種類を特定するようになっている。
（停止制御手段160）
停止制御手段160は、ストップスイッチ54の操作を契機に、対応する回転リール23の回転位置及び当選抽選手段130の抽選結果に基づいて、当該回転リール23の停止制御を行うためのものである。
【００３２】
ここで、ストップスイッチ54が操作されてから、対応する回転リール23がいずれかの停止基準位置に停止するまでの間に、図柄表示窓31を通過する停止基準位置の数を「滑りコマ数」という。例えば、滑りコマ数「０」は、操作されたストップスイッチ54に対応する回転リール23を、当該操作から１番目に図柄表示窓31に表示される停止基準位置に停止させることを意味する。また、滑りコマ数「１」は、操作されたストップスイッチ54に対応する回転リール23を、当該操作から１番目に図柄表示窓31に表示される停止基準位置を通過させて、２番目に図柄表示窓31に表示される停止基準位置に停止させることを意味する。本実施の形態では、停止制御手段160は、当選抽選手段130の抽選結果に基づいて、滑りコマ数「０」ないし「４」の範囲で回転リール23を停止基準位置に停止させるようになっている。
【００３３】
具体的には、遊技制御装置100のＲＯＭには、ストップスイッチ54の操作時における回転リール23の回転位置に基づき、対応する回転リール23が停止基準位置に停止するまでの滑りコマ数を、回転リール23毎に規定した停止テーブルが格納されている。
本実施の形態では、当選フラグに対応した停止テーブル（例えば、「赤セブン当選フラグ」に対応する「赤セブン停止テーブル」など）が、遊技制御装置100のＲＯＭに記憶されている。これらの停止テーブルは、当該当選フラグに係る当選役が入賞し得るように且つその他の当選役が入賞しないように、各回転リール23の滑りコマ数が規定されている。
また、遊技制御装置100のＲＯＭには、「ベル当選フラグ」及び「スイカ当選フラグ」を同時にＲＡＭの所定領域に有する場合に用いる停止テーブルが格納されている。具体的には、「ベル」の図柄が有効ライン37に優先的に揃うように滑りコマ数が規定されている「ベル優先停止テーブル」と、「スイカ」の図柄が有効ライン37に優先的に揃うように滑りコマ数が規定されている「スイカ優先停止テーブル」と、がある。
【００３４】
また、遊技制御装置100のＲＯＭには、「二連チェリー当選フラグ」及び「フラワー当選フラグ」を同時にＲＡＭの所定領域に有する場合に用いる停止テーブルが格納されている。具体的には、「フラワー当選役」の図柄の組み合わせよりも「二連チェリー当選役」の図柄の組み合わせが有効ライン37に優先的に揃い得るように滑りコマ数が規定されている「二連チェリー優先停止テーブル」がある。
また、遊技制御装置100のＲＯＭには、ボーナス当選フラグのいずれか１つと、小役当選フラグのいずれか１つとを同時にＲＡＭの所定領域に有する場合に用いる停止テーブルが格納されている。例えば、「赤セブン当選フラグ」及び「リプレイ当選フラグ」を同時に有するときに用いる「リプレイ・赤７停止テーブル」と、「赤セブン当選フラグ」及び「単チェリー当選フラグ」を同時に有するときに用いる「単チェリー・赤７停止テーブル」等がある。これらのテーブルは、小役当選フラグに係る当選役よりもボーナス当選フラグに係る当選役が優先的に入賞し得るように、且つその他の当選役が入賞しないように、各回転リール23の滑りコマ数が規定されている。
【００３５】
また、遊技制御装置100のＲＯＭには、いずれの当選フラグにも対応しない「ハズレ停止テーブル」が格納されている。「ハズレ停止テーブル」は、いずれの当選役の図柄の組み合わせも有効ライン37に揃わないように、各回転リール23の滑りコマ数が規定されている。
停止制御手段160は、すべてのインデックスセンサー27がインデックスを検出したことを契機に、遊技制御装置100のＲＡＭの当選フラグに応じた停止テーブルを選択する。このとき、遊技制御装置100のＲＡＭにいずれの当選フラグも有さない場合には、ハズレ停止テーブルを選択する。そして、各ストップスイッチ54の操作の受付を開始する。これにより、各ストップスイッチ54の操作が有効となる。
【００３６】
また、ストップスイッチ54の操作を契機に、選択した停止テーブルを参照して、ストップスイッチ54の操作時の回転位置に基づき滑りコマ数を取得する。そして、取得した滑りコマ数分の停止基準位置が図柄表示窓31を通過した後に、最初に表示される停止基準位置に当該回転リール23が停止するように、ステッピングモータ26の回転駆動を制御する。
（入賞判定手段170）
入賞判定手段170は、すべての回転リール23の回転が停止したことを契機に、複数の当選役のいずれに入賞か又は入賞なしかの判定を行うものである。
具体的には、入賞判定手段170は、例えば、すべての回転リール23が停止基準位置に停止した場合に、「７（赤色）」の図柄が有効ライン37に３個揃っているときには、「赤セブン当選役の入賞」と判定する。
【００３７】
また、入賞判定手段170は、例えば、すべての回転リール23が停止基準位置に停止した場合に、どの当選役に係る図柄の組み合わせも有効ライン37に揃っていないときには、「入賞なし」と判定する。
（入賞判定情報記憶手段200）
入賞判定情報記憶手段200は、過去の複数ゲームにおける入賞判定手段170の入賞判定結果に関する情報を記憶するものである。本実施の形態では、入賞判定情報記憶手段200は、過去の複数ゲームにおける入賞判定手段170の入賞判定結果に関する情報として、当選抽選手段130の抽選により重複当選した場合において入賞判定手段170により優先入賞当選役の入賞と判定された回数を記憶する。
【００３８】
ここで、「優先入賞当選役」は、重複当選する複数の当選役の中で優先的に入賞させる一の当選役を意味する。具体的には、当選抽選手段130の抽選により「ＢＳ重複当選」した場合、つまり、遊技制御装置100のＲＡＭの所定領域に「ベル当選フラグ」及び「スイカ当選フラグ」を同時に有する場合に、「ベル当選役」または「スイカ当選役」のいずれか一方が「優先入賞当選役」となる。そして、入賞判定情報記憶手段200は、当選抽選手段130の抽選により「ＢＳ重複当選」した場合に、優先入賞当選役が「ベル当選役」であるときには、入賞判定手段170により「ベル当選役の入賞」と判定された回数をＲＡＭの所定領域に記憶させ、優先入賞当選役が「スイカ当選役」であるときには、入賞判定手段170により「スイカ当選役の入賞」と判定された回数をＲＡＭの所定領域に記憶させる。さらに詳しくは、初期値として「０」をＲＡＭの所定領域にセットし、入賞判定手段170により「優先入賞当選役の入賞」と判定される度に、ＲＡＭの数値に「１」を加算する更新を行うようになっている。
【００３９】
（優先入賞決定手段210）
優先入賞決定手段210は、重複当選する複数の当選役の中で優先的に入賞させる一の当選役（優先入賞当選役）について、入賞判定情報記憶手段200の記憶に基づいて決定する。
本実施の形態では、「ＢＳ重複当選」で重複当選する当選役の中の「ベル当選役」が、デフォルトの優先入賞当選役となっている。そして、優先入賞決定手段210は、入賞判定情報記憶手段200の記憶する回数が「１０回」に達したことを契機に、優先入賞当選役を「ベル当選役」から「スイカ当選役」へ変更する。さらに、優先入賞決定手段210は、入賞判定情報記憶手段200の記憶する回数が「１０回」に達したことを契機に、優先入賞当選役を「スイカ当選役」から「ベル当選役」へ変更する。このように、優先入賞決定手段210は、入賞判定情報記憶手段200の記憶する回数が「１０回」に達する度に、優先入賞当選役を切り替えるようになっている。
【００４０】
なお、前述の停止制御手段160は、ＲＡＭの所定領域に「ベル当選フラグ」及び「スイカ当選フラグ」を同時に有する場合に、優先入賞当選役が「ベル当選役」であるときには、「ベル優先停止テーブル」を選択し、優先入賞当選役が「スイカ当選役」であるときには、「スイカ優先停止テーブル」を選択するようになっている。
（支払制御手段190）
支払制御手段190は、入賞によりメダルが支払われる当選役について入賞判定手段170により「当選役の入賞」と判定されたことを契機に、メダルを支払う制御を行うものである。メダルの支払いは、当選役に係る図柄の組み合わせの揃った有効ライン37毎に行われる。
【００４１】
なお、「メダルを支払う制御」は、「ホッパー5にメダルを払い出させる制御」を行ってもよいし、「クレジット数を増加させる制御」を行ってもよい。本実施の形態では、支払制御手段190は、クレジット数が上限の「５０」に達する前は、クレジット数を増加させる制御を行う。また、支払制御手段190は、クレジット数が上限の「５０」に達した後は、ホッパー5にメダルを払い出させる制御を行う。
次に、演出制御装置300が備える各手段について説明する。
（ミッション開始抽選手段360）
本実施の形態には、アシストタイムを開始するために達成すべき「ミッション」が設けられている。ミッション開始抽選手段360は、このミッションを開始するか否かの抽選（以下「ミッション開始抽選」という）を行うものである。
【００４２】
具体的には、ミッション開始抽選手段360は、スタートスイッチ53の操作を契機に、ミッション開始抽選を行う。そして、ミッション開始抽選に当選すると、後述のミッション演出制御手段370により次ゲームからミッションを開始する。また、ミッションの開始後は、ミッションが達成されるまでの間、ミッション開始抽選を行わない。
なお、ミッション開始抽選手段360は、当選抽選手段130と同様に乱数を用いてミッション開始抽選を行うものとし、これについての説明は省略する。
（ミッション演出制御手段370）
ミッション演出制御手段370は、ミッションに関する演出を制御するものである。本実施の形態の「ミッション」は、「スイカ当選役に３回入賞すること」である。
【００４３】
具体的には、ミッション演出制御手段370は、ミッション開始抽選に当選したことを契機に、ミッションを報知する演出を演出装置に行わせるとともに、スイカ当選役に入賞した回数をカウントする。そして、スイカ当選役に入賞した回数が３回に達したことを契機に、ミッションの達成を報知する演出を演出装置に行わせる。そして、後述のアシストタイム制御手段380により次ゲームからアシストタイムが開始される。
（アシストタイム制御手段380）
アシストタイム制御手段380は、当選抽選手段130の抽選結果に関する情報を報知する「アシストタイム」を制御するものである。
【００４４】
アシストタイム制御手段380は、アシストタイム中に当選抽選手段130の抽選で当選役に当選すると、当該当選役に当選した旨を報知する演出を演出装置に行わせる。また、アシストタイム制御手段370は、アシストタイム中に１００ゲーム消化すると、アシストタイムを終了するようになっている。
（画像データ記憶手段310）
画像データ記憶手段310は、画像表示装置34に表示させる画像に関するデータ（画像データ）を記憶する。この画像データは、ＲＯＭに格納されており、必要に応じてＣＰＵに出力される。
【００４５】
本実施の形態では、画像データ記憶手段310は、ミッションを報知する画像（例えば、スイカ当選役を３回入賞させることを指示する画像）の画像データを記憶する。また、画像データ記憶手段310は、当選抽選手段130の抽選結果に関する情報を報知する画像（例えば、当選抽選手段130の抽選で「ベル当選役」及び「スイカ当選役」に当選した旨を示唆する画像など）の画像データを記憶する。
（画像表示制御手段320）
画像表示制御手段320は、画像データ記憶手段310の記憶する画像データに基づいて、画像表示装置34の画像の表示を制御するものである。換言すると、遊技制御装置100からの信号に基づき、画像データ記憶手段310の記憶する画像データを選択し、この画像データに従って画像表示装置34に画像を表示させるようになっている。
【００４６】
本実施の形態では、画像表示制御手段320は、ミッション開始抽選に当選したことを契機に、ミッションを報知する画像の画像データを選択し、この画像データに従って画像表示装置34に画像を表示させる。
また、画像表示制御手段320は、アシストタイム中における当選抽選手段130の抽選結果に基づいて、画像表示装置34に画像を表示させる。例えば、画像表示制御手段320は、当選抽選手段130の抽選で「ベル当選役」及び「スイカ当選役」に当選したことを契機に、その旨を示唆する画像の画像データを選択し、この画像データに従って画像表示装置34に画像を表示させる。
【００４７】
（音声データ記憶手段330）
音声データ記憶手段330は、スピーカ35,45に出力させる音声に関するデータ（音声データ）を記憶する。この音声データは、ＲＯＭに格納されており、必要に応じてＣＰＵに出力される。
本実施の形態では、音声データ記憶手段330は、ミッションを報知する効果音の音声データを記憶する。また、音声データ記憶手段330は、当選抽選手段130の抽選結果に関する情報を報知する音声（例えば、当選抽選手段130の抽選で「ベル当選役」及び「スイカ当選役」に当選した旨を示唆する音声など）の音声データを記憶する。
【００４８】
（音声出力制御手段340）
音声出力制御手段340は、音声データ記憶手段330の記憶する音声データに基づいて、スピーカ35,45の音声の出力を制御するものである。換言すると、遊技制御装置100からの信号に基づき、音声データ記憶手段330の記憶する音声データを選択し、この音声データに従ってスピーカ35,45にＢＧＭや効果音を発生させるようになっている。
本実施の形態では、音声出力制御手段340は、ミッション開始抽選に当選したことを契機に、ミッションを報知する効果音の音声データを選択し、この音声データに従ってスピーカ35,45に音声を出力させる。
【００４９】
また、音声出力制御手段340は、アシストタイム中における当選抽選手段130の抽選結果に基づいて、スピーカ35,45に音声を出力させる。例えば、音声出力制御手段340は、当選抽選手段130の抽選で「ベル当選役」及び「スイカ当選役」に当選したことを契機に、その旨を示唆する音声の音声データを選択し、この音声データに従ってスピーカ35,45に音声を出力させる。
（ランプ点滅制御手段350）
ランプ点滅制御手段350は、ランプ33の点滅を制御するものである。具体的には、ランプ点滅制御手段350は、遊技制御装置100からの信号に基づき、複数の点滅パターンから１つ選択し、この点滅パターンに従ってランプ33を点滅させるようになっている。
【００５０】
（スロットマシンSの動作）
次に、スロットマシンSにおける遊技の制御の概略について、図７に示したフローチャートを用いて説明する。この制御は、遊技制御装置100で所定時間毎に繰り返し実行される。
ステップ１０１において、ゲーム更新処理が行われる。具体的には、ＲＡＭの所定の領域がクリアされて、小役当選フラグの消去、入賞済みのボーナス当選フラグの消去、ベット数記憶手段180のベット数のクリア等がなされる。
ステップ１０２において、再遊技であるか否かの判断が行われる。そして、再遊技であると判断した場合には、ステップ１０３に進む。再遊技でないと判断した場合には、ステップ１０４に進む。
【００５１】
ステップ１０３において、再遊技ベット処理が行われる。具体的には、前回のゲームでベットされたメダルの枚数、つまり「３」をベット数記憶手段180のベット数に加算する更新が行われる。そして、ステップ１０５に進む。
ステップ１０４において、ベット処理が行われる。具体的には、投入センサー47がメダルを検出すると、ベット数記憶手段180のベット数に「１」を加算する更新が行われる。または、ベットスイッチ51が操作されると、クレジット数を減じるとともに、ベット数記憶手段180のベット数に加算する更新が行われる。そして、ステップ１０５に進む。
ステップ１０５において、スタートスイッチ53が操作されたか否かの判断が行われる。そして、スタートスイッチ53が操作されたと判断したときには、ステップ１０６に進む。スタートスイッチ53が操作されていないと判断したときには、ステップ１０５に戻る。
【００５２】
ステップ１０６において、３個の回転リール23の回転が開始される。そして、ステップ１０７に進む。
ステップ１０７において、当選抽選手段130による当選抽選処理が行われる。そして、ステップ１０８に進む。
ステップ１０８において、停止制御手段160による停止制御処理が行われる。そして、ステップ１０９に進む。なお、停止制御処理については、後述する。
ステップ１０９において、入賞判定手段170による入賞判定処理が行われる。そして、ステップ１１０に進む。
【００５３】
ステップ１１０において、優先入賞決定手段210による優先入賞決定処理が行われる。そして、ステップ１１１に進む。なお、優先入賞決定処理については、後述する。
ステップ１１１において、支払制御手段190による支払制御処理が行われる。そして、ステップ１１２に進む。
ステップ１１２において、遊技移行処理が行われる。そして、ゲームを終了する。
次に、ステップ１０８の停止制御処理について、図８に示したフローチャートを用いて説明する。
ステップ２０１において、遊技制御装置100のＲＡＭの所定領域に「ベル当選フラグ」及び「スイカ当選フラグ」を有するか否かの判断が行われる。そして、「ベル当選フラグ」及び「スイカ当選フラグ」を有さないと判断した場合には、ステップ２０２に進む。「ベル当選フラグ」及び「スイカ当選フラグ」を有すると判断した場合には、ステップ２０３に進む。
【００５４】
ステップ２０２において、遊技制御装置100のＲＯＭに格納された複数の停止テーブルの中から、ＲＡＭの所定領域に有する当選フラグに応じた停止テーブルを選択する。いずれの当選フラグも有さない場合には、ハズレ停止テーブルを選択する。そして、ステップ２０６に進む。
ステップ２０３において、優先入賞当選役は「ベル当選役」であるか否かの判断が行われる。そして、優先入賞当選役は「ベル当選役」であると判断した場合には、ステップ２０４に進む。優先入賞当選役は「ベル当選役」でないと判断した場合、つまり「スイカ当選役」である場合には、ステップ２０５に進む。
【００５５】
ステップ２０４において、遊技制御装置100のＲＯＭに格納された複数の停止テーブルの中から「ベル優先停止テーブル」を選択する。そして、ステップ２０６に進む。なお、「ベル優先停止テーブル」は、「ベル」の図柄が有効ライン37に優先的に揃うように滑りコマ数が規定されている。したがって、ストップスイッチ54の操作時の回転リール23がいずれの回転位置にあっても、「ベル」の図柄が有効ライン37に揃うことになる。
ステップ２０５において、遊技制御装置100のＲＯＭに格納された複数の停止テーブルの中から「スイカ優先停止テーブル」を選択する。そして、ステップ２０６に進む。なお、「スイカ優先停止テーブル」は、「スイカ」の図柄が有効ライン37に優先的に揃うように滑りコマ数が規定されている。したがって、ストップスイッチ54の操作時の回転リール23がいずれの回転位置にあっても、「スイカ」の図柄が有効ライン37に揃うことになる。
【００５６】
ステップ２０６において、ストップスイッチ54の操作の受付を開始する。これにより、ストップスイッチ54が操作されてストップ信号が出力されると、対応する回転リール23の停止制御を行うようになる。そして、ステップ２０７に進む。
ステップ２０７において、１個目のストップスイッチ54が操作されたか否かの判断が行われる。そして、１個目のストップスイッチ54が操作されたと判断したときには、ステップ２０８に進む。１個目のストップスイッチ54が操作されていないと判断したときには、ステップ２０７に戻る。
ステップ２０８において、ストップスイッチ54の操作の受付を終了する。これにより、ストップスイッチ54が操作されてストップ信号が出力されても、対応する回転リール23の停止制御を行わないようになる。そして、ステップ２０９に進む。
【００５７】
ステップ２０９において、選択した停止テーブルを参照して、操作されたストップスイッチ54に対応する回転リール23の滑りコマ数を取得する。そして、ステップ２１０に進む。
ステップ２１０において、取得した滑りコマ数分の停止基準位置が図柄表示窓31を通過した後、最初に図柄表示窓31に表示される停止基準位置に停止するように、回転リール23の回転を停止させる。そして、ステップ２１１に進む。
ステップ２１１において、ストップスイッチ54の操作の受付を開始する。そして、ステップ２１２に進む。
【００５８】
ステップ２１２において、２個目のストップスイッチ54が操作されたか否かの判断が行われる。そして、２個目のストップスイッチ54が操作されたと判断したときには、ステップ２１３に進む。２個目のストップスイッチ54が操作されていないと判断したときには、ステップ２１２に戻る。
ステップ２１３において、ストップスイッチ54の操作の受付を終了する。そして、ステップ２１４に進む。
ステップ２１４において、選択した停止テーブルを参照して、操作されたストップスイッチ54に対応する回転リール23の滑りコマ数を取得する。そして、ステップ２１５に進む。
【００５９】
ステップ２１５において、取得した滑りコマ数分の停止基準位置が図柄表示窓31を通過した後、最初に図柄表示窓31に表示される停止基準位置に停止するように、回転リール23の回転を停止させる。そして、ステップ２１６に進む。
ステップ２１６において、ストップスイッチ54の操作の受付を開始する。そして、ステップ２１７に進む。
ステップ２１７において、３個目のストップスイッチ54が操作されたか否かの判断が行われる。そして、３個目のストップスイッチ54が操作されたと判断したときには、ステップ２１８に進む。３個目のストップスイッチ54が操作されていないと判断したときには、ステップ２１７に戻る。
【００６０】
ステップ２１８において、ストップスイッチ54の操作の受付を終了する。そして、ステップ２１９に進む。
ステップ２１９において、選択した停止テーブルを参照して、操作されたストップスイッチ54に対応する回転リール23の滑りコマ数を取得する。そして、ステップ２２０に進む。
ステップ２２０において、取得した滑りコマ数分の停止基準位置が図柄表示窓31を通過した後、最初に図柄表示窓31に表示される停止基準位置に停止するように、回転リール23の回転を停止させる。そして、停止制御処理を終了する。
【００６１】
次に、ステップ１１０の優先入賞決定処理について、図９に示したフローチャートを用いて説明する。
ステップ３０１において、優先入賞当選役は「ベル当選役」であるか否かの判断が行われる。そして、優先入賞当選役は「ベル当選役」であると判断した場合には、ステップ３０２に進む。優先入賞当選役は「ベル当選役」でないと判断した場合、つまり「スイカ当選役」である場合には、ステップ３０３に進む。
ステップ３０２において、ステップ１０９の入賞判定結果が「ベル当選役の入賞」であるか否かの判断が行われる。そして、入賞判定結果が「ベル当選役の入賞」であると判断した場合には、ステップ３０４に進む。入賞判定結果が「ベル選役の入賞」でないと判断した場合には、優先入賞決定処理を終了する。
【００６２】
ステップ３０３において、ステップ１０９の入賞判定結果が「スイカ当選役の入賞」であるか否かの判断が行われる。そして、入賞判定結果が「スイカ当選役の入賞」であると判断した場合には、ステップ３０４に進む。入賞判定結果が「スイカ選役の入賞」でないと判断した場合には、優先入賞決定処理を終了する。
ステップ３０４において、入賞判定情報記憶手段200の記憶する回数に「１」を加算する更新を行う。そして、ステップ３０５に進む。
ステップ３０５において、入賞判定情報記憶手段200の記憶する回数が「１０回」に達したか否かの判断が行われる。そして、「１０回」に達したと判断した場合には、ステップ３０６に進む。「１０回」に達していないと判断した場合には、優先入賞決定処理を終了する。
【００６３】
ステップ３０６において、優先入賞当選役は「ベル当選役」であるか否かの判断が行われる。そして、優先入賞当選役は「ベル当選役」であると判断した場合には、ステップ３０７に進む。優先入賞当選役は「ベル当選役」でないと判断した場合、つまり「スイカ当選役」である場合には、ステップ３０８に進む。
ステップ３０８において、優先入賞当選役を「ベル当選役」から「スイカ当選役」に変更する。そして、ステップ３０９に進む。したがって、当選抽選手段130の抽選により「ＢＳ重複当選」となった場合、つまり「ベル当選役」及び「スイカ当選役」に重複当選した場合に、停止制御手段160が「スイカ優先停止テーブル」を選択するようになることから、「スイカ当選役」に入賞するようになる。
【００６４】
ステップ３０９において、優先入賞当選役を「スイカ当選役」から「ベル当選役」に変更する。そして、ステップ３０９に進む。したがって、「ベル当選役」及び「スイカ当選役」に重複当選した場合に、停止制御手段160が「ベル優先停止テーブル」を選択するようになることから、「ベル当選役」に入賞するようになる。
ステップ３０９において、入賞判定情報記憶手段200の記憶する回数が「０」にクリアする。そして、優先入賞決定処理を終了する。
以上のように、第１の実施の形態によれば、抽選で「ＢＳ重複当選」となった場合に優先入賞当選役の入賞した回数を記憶するとともに、記憶した回数に基づいて優先入賞当選役を「ベル当選役」または「スイカ当選役」のいずれか一方から他方に変更する。そして、抽選で「ＢＳ重複当選」となった場合には、優先入賞当選役を優先的に入賞させるように停止制御を行うようになっている。これにより、回転リール23の回転を停止する動作が単調になることを防止できるため、遊技の興趣が損なわれずに済む。
【００６５】
また、第１の実施の形態では、ミッション開始以後、スイカ当選役に３回入賞すると、アシストタイムを開始するようになっている。そして、優先入賞当選役が「スイカ当選役」の場合には、「スイカ当選役」を優先的に入賞させるが、優先入賞当選役が「ベル当選役」の場合には、「ベル当選役」を優先的に入賞させるようになっている。したがって、同じ内容のミッションでも、達成の難易度が変化することから、遊技が単調にならず興趣を増すことができる。
なお、第１の実施の形態において、入賞判定情報記憶手段200の代わりに、過去の複数ゲームにおける当選抽選手段130の抽選結果に関する情報を記憶する抽選結果情報記憶手段を設け、優先入賞決定手段210は、抽選結果情報記憶手段の記憶に基づいて優先入賞当選役を決定するようにしてもよい。また、抽選結果情報記憶手段は、過去の複数ゲームにおける当選抽選手段130の抽選結果に関する情報として、優先入賞当選役を含む複数の当選役に重複当選した回数を記憶し、優先入賞決定手段210は、抽選結果情報記憶手段の記憶する回数が所定回数に達したことを契機に、優先入賞当選役を決定し直すようにしてもよい。
【００６６】
具体的には、例えば、第１の実施の形態に係る遊技制御装置100のＲＯＭには、「フラワー当選役」の図柄の組み合わせよりも「二連チェリー当選役」の図柄の組み合わせが有効ライン37に優先的に揃い得るように滑りコマ数が規定されている「二連チェリー優先停止テーブル」が設けられているが、これに加え、「二連チェリー当選役」の図柄の組み合わせよりも「フラワー当選役」の図柄の組み合わせが有効ライン37に優先的に揃い得るように滑りコマ数が規定されている「フラワー優先停止テーブル」を設ける。また、入賞判定情報記憶手段200に代えて、「二連チェリー当選役」及び「フラワー当選役」の重複当選となる「２Ｆ重複当選」した回数を記憶する抽選結果情報記憶手段を設ける。そして、優先入賞決定手段210は、抽選結果情報記憶手段の記憶する回数が所定回数に達したことを契機に、優先入賞当選役を「二連チェリー当選役」または「フラワー当選役」のいずれか一方に決定する。そして、停止制御手段160は、当選抽選手段130の抽選により「２Ｆ重複当選」となった場合、つまりＲＡＭの所定領域に「二連チェリー当選フラグ」及び「フラワー当選フラグ」を同時に有する場合に、優先入賞当選役が「二連チェリー当選役」であるときには、「二連チェリー優先停止テーブル」を選択し、優先入賞当選役が「フラワー当選役」であるときには、「フラワー優先停止テーブル」を選択する。これにより、当選抽選手段130の抽選により「２Ｆ重複当選」となった場合に、「二連チェリー当選役」または「フラワー当選役」のいずれか一方の図柄の組み合わせが優先的に揃い得るようになる。
【００６７】
ここで、ストップスイッチ54の操作時における回転リール23の回転位置によっては、滑りコマ数「０」ないし「４」の範囲で有効ライン37に「フラワー当選役」の図柄の組み合わせを揃えられないことがある。「フラワー優先停止テーブル」は、このような場合について、「二連チェリー当選役」の図柄の組み合わせを有効ライン37に揃い得るように滑りコマ数を規定してもよいし、揃わないように滑りコマ数を規定してもよい。また、ストップスイッチ54の操作時における回転リール23の回転位置によっては、滑りコマ数「０」ないし「４」の範囲で有効ライン37に「二連チェリー当選役」の図柄の組み合わせを揃えられないことがある。「二連チェリー優先停止テーブル」は、このような場合について、「フラワー当選役」の図柄の組み合わせを有効ライン37に揃い得るように滑りコマ数を規定してもよいし、揃わないように滑りコマ数を規定してもよい。
【００６８】
（第２の実施の形態）
第１の実施の形態では、遊技制御装置100に優先入賞決定手段210を設けたが、第２の実施の形態では、遊技制御装置100に優先入賞決定手段210の代わりに操作順序対応当選役決定手段を設けた。
また、第２の実施の形態に係る入賞判定情報記憶手段200、停止制御手段160及びミッション演出制御手段370は、第１の実施の形態のそれらと相違する。
また、第２の実施の形態に係るスロットマシンは、ハードウエアの構成については、第１の実施の形態に係るスロットマシンと同様である。
【００６９】
そこで、第２の実施の形態では、第１の実施の形態との相違点を中心に説明する。
（入賞判定情報記憶手段200）
第２の実施の形態では、入賞判定情報記憶手段200は、過去の複数ゲームにおける入賞判定手段170の入賞判定結果に関する情報として、当選抽選手段130の抽選により重複当選した場合において入賞判定手段170により所定の一の当選役の入賞と判定された回数を記憶する。
具体的には、当選抽選手段130の抽選により「ＢＳ重複当選」した場合、つまり、遊技制御装置100のＲＡＭの所定領域に「ベル当選フラグ」及び「スイカ当選フラグ」を同時に有する場合に、入賞判定手段170により「スイカ当選役の入賞」と判定された回数をＲＡＭの所定領域に記憶させる。さらに詳しくは、初期値として「０」をＲＡＭの所定領域にセットし、入賞判定手段170により「スイカ当選役の入賞」と判定される度に、ＲＡＭの数値に「１」を加算する更新を行うようになっている。
【００７０】
（操作順序対応当選役決定手段）
操作順序対応当選役決定手段は、複数個のストップスイッチ54について互いに異なる複数の操作順序のそれぞれに、重複当選する複数の当選役のいずれか一つを、入賞判定情報記憶手段200の記憶に基づいて対応付ける。
本実施の形態では、１個目に左ストップスイッチ54Lが操作される操作順序に「スイカ当選役」が、１個目に中央ストップスイッチ54Mまたは右ストップスイッチ54Rが操作される操作順序に「ベル当選役」が、デフォルトとして対応付けられている。
そして、操作順序対応当選役決定手段は、入賞判定情報記憶手段200の記憶する回数が「１０回」に達したことを契機に、１個目に左ストップスイッチ54Lが操作される操作順序、１個目に中央ストップスイッチ54Mが操作される操作順序、または１個目に右ストップスイッチ54Rが操作される操作順序のいずれか一つに「スイカ当選役」を対応付け、残りの操作順序に「ベル当選役」を対応付ける。操作順序対応当選役決定手段は、入賞判定情報記憶手段200の記憶する回数が「１０回」に達する度に、この対応付けを行うようになっている。
【００７１】
（停止制御手段160）
停止制御手段160は、「ベル当選フラグ」及び「スイカ当選フラグ」を同時にＲＡＭの所定領域に有する場合については、第１の実施の形態と異なる停止制御を行うが、その他の場合については、第１の実施の形態と同様である。そこで、「ベル当選フラグ」及び「スイカ当選フラグ」を同時にＲＡＭの所定領域に有する場合の停止制御について説明する。
停止制御手段160は、「ベル当選フラグ」及び「スイカ当選フラグ」を同時にＲＡＭの所定領域に有する場合には、すべてのインデックスセンサー27がインデックスを検出したことを契機に、各ストップスイッチ54の操作の受付を開始する。そして、１個目のストップスイッチ54の操作を契機に、操作されたストップスイッチ54に対応する当選役を優先的に入賞させる停止テーブルが選択される。つまり、対応する当選役が「ベル当選役」である場合には、「ベル優先停止テーブル」を選択し、対応する当選役が「スイカ当選役」である場合には、「スイカ優先停止テーブル」を選択する。そして、選択した停止テーブルを参照して、ストップスイッチ54の操作時の回転位置に基づき滑りコマ数を取得する。そして、取得した滑りコマ数分の停止基準位置が図柄表示窓31を通過した後に、最初に表示される停止基準位置に当該回転リール23が停止するように、ステッピングモータ26の回転駆動を制御する。
【００７２】
（ミッション演出制御手段370）
ミッション演出制御手段370は、ミッションに関する演出を制御するものである。本実施の形態の「ミッション」は、「３０ゲームの間、スイカ当選役に入賞しないこと」である。
具体的には、ミッション演出制御手段370は、ミッション開始抽選に当選したことを契機に、ミッションを報知する演出を演出装置に行わせるとともに、実施したゲームの回数をカウントする。そして、スイカ当選役に入賞する前に、実施したゲームの回数が３０回に達したことを契機に、ミッションの達成を報知する演出を演出装置に行わせる。そして、後述のアシストタイム制御手段380により次ゲームからアシストタイムが開始されるようになっている。これに対し、実施したゲームの回数が３０回に達する前に、スイカ当選役に入賞したことを契機に、ミッションの失敗を報知する演出を演出装置に行わせる。そして、アシストタイムは開始されず、通常の演出が行われるようになっている。
【００７３】
（スロットマシンSの動作）
第２の実施の形態における遊技の制御の概略は、第１の実施の形態における遊技の制御の概略のステップ１１０「優先入賞決定処理」を「操作順序対応当選役決定処理」に置き換えたものであり、詳細な説明を省略する。
次に、第２の実施の形態における停止制御処理について、図１０に示したフローチャートを用いて説明する。
ステップ４０１において、遊技制御装置100のＲＡＭの所定領域に「ベル当選フラグ」及び「スイカ当選フラグ」を有するか否かの判断が行われる。そして、「ベル当選フラグ」及び「スイカ当選フラグ」を有すると判断した場合には、ステップ４０２に進む。「ベル当選フラグ」及び「スイカ当選フラグ」を有さないと判断した場合には、ステップ４０８に進む。
【００７４】
ステップ４０２において、ストップスイッチ54の操作の受付を開始する。そして、ステップ４０３に進む。
ステップ４０３において、１個目のストップスイッチ54が操作されたか否かの判断が行われる。そして、１個目のストップスイッチ54が操作されたと判断したときには、ステップ４０４に進む。１個目のストップスイッチ54が操作されていないと判断したときには、ステップ４０３に戻る。
ステップ４０４において、ストップスイッチ54の操作の受付を終了する。そして、ステップ４０５に進む。
【００７５】
ステップ４０５において、操作されたストップスイッチ54に対応するのは「ベル当選役」であるか否かの判断が行われる。そして、「ベル当選役」であると判断した場合には、ステップ４０６に進む。「ベル当選役」でないと判断した場合、つまり「スイカ当選役」である場合には、ステップ４０７に進む。
ステップ４０６において、遊技制御装置100のＲＯＭに格納された複数の停止テーブルの中から「ベル優先停止テーブル」を選択する。そして、ステップ４１２に進む。なお、「ベル優先停止テーブル」は、「ベル」の図柄が有効ライン37に優先的に揃うように滑りコマ数が規定されている。したがって、ストップスイッチ54の操作時の回転リール23がいずれの回転位置にあっても、「ベル」の図柄が有効ライン37に揃うことになる。
【００７６】
ステップ４０７において、遊技制御装置100のＲＯＭに格納された複数の停止テーブルの中から「スイカ優先停止テーブル」を選択する。そして、ステップ４１２に進む。なお、「スイカ優先停止テーブル」は、「スイカ」の図柄が有効ライン37に優先的に揃うように滑りコマ数が規定されている。したがって、ストップスイッチ54の操作時の回転リール23がいずれの回転位置にあっても、「スイカ」の図柄が有効ライン37に揃うことになる。
ステップ４０８において、遊技制御装置100のＲＯＭに格納された複数の停止テーブルの中から、ＲＡＭの所定領域に有する当選フラグに応じた停止テーブルを選択する。いずれの当選フラグも有さない場合には、ハズレ停止テーブルを選択する。そして、ステップ４０９に進む。
【００７７】
ステップ４０９において、ストップスイッチ54の操作の受付を開始する。そして、ステップ４１０に進む。
ステップ４１０において、１個目のストップスイッチ54が操作されたか否かの判断が行われる。そして、１個目のストップスイッチ54が操作されたと判断したときには、ステップ４１１に進む。１個目のストップスイッチ54が操作されていないと判断したときには、ステップ４１０に戻る。
ステップ４１１において、ストップスイッチ54の操作の受付を終了する。そして、ステップ４１２に進む。
【００７８】
ステップ４１２において、選択した停止テーブルを参照して、操作されたストップスイッチ54に対応する回転リール23の滑りコマ数を取得する。そして、ステップ４１３に進む。
ステップ４１３において、取得した滑りコマ数分の停止基準位置が図柄表示窓31を通過した後、最初に図柄表示窓31に表示される停止基準位置に停止するように、回転リール23の回転を停止させる。なお、これ以降のフローは、第１の実施の形態における停止制御処理のステップ２１１以降のフローと同様なので、説明を省略する。
次に、ステップ１１０の操作順序対応当選役決定処理について、図１１に示したフローチャートを用いて説明する。
【００７９】
ステップ５０１において、ステップ１０９の入賞判定結果が「スイカ当選役の入賞」であるか否かの判断が行われる。そして、入賞判定結果が「スイカ当選役の入賞」であると判断した場合には、ステップ５０２に進む。入賞判定結果が「スイカ当選役の入賞」でないと判断した場合には、操作順序対応当選役決定処理を終了する。
ステップ５０２において、入賞判定情報記憶手段200の記憶する回数に「１」を加算する更新を行う。そして、ステップ５０３に進む。
ステップ５０３において、入賞判定情報記憶手段200の記憶する回数が「１０回」に達したか否かの判断が行われる。そして、「１０回」に達したと判断した場合には、ステップ５０４に進む。「１０回」に達していないと判断した場合には、操作順序対応当選役決定処理を終了する。
【００８０】
ステップ５０４において、１個目に左ストップスイッチ54Lが操作される操作順序、１個目に中央ストップスイッチ54Mが操作される操作順序、または１個目に右ストップスイッチ54Rが操作される操作順序のいずれか一つに「スイカ当選役」を対応付け、残りの操作順序に「ベル当選役」を対応付ける。そして、ステップ５０５に進む。
したがって、ストップスイッチ54の操作が一定の操作順序で繰り返された場合に、「ベル当選役」及び「スイカ当選役」に重複当選したときに、停止制御手段160が操作順序に応じて「ベル優先停止テーブル」または「スイカ優先停止テーブル」のいずれか一方を選択していたが、ステップ５０４で改めて対応付けを行ったことにより、他方の停止テーブルを選択するようになることもある。換言すると、「ベル当選役」及び「スイカ当選役」に重複当選したときに、いずれか一方の当選役に入賞していたが、ステップ５０４で改めて対応付けを行ったことにより、他方の当選役に入賞するようになることもある。
【００８１】
ステップ５０５において、入賞判定情報記憶手段200の記憶する回数が「０」にクリアする。そして、操作順序対応当選役決定処理を終了する。
以上のように、第２の実施の形態によれば、抽選で「ＢＳ重複当選」となった場合に「スイカ当選役」の入賞した回数を記憶するとともに、記憶した回数に基づいてストップスイッチ54の操作順序のそれぞれに「ベル当選役」または「スイカ当選役」にいずれか一方を対応付ける。そして、抽選で「ＢＳ重複当選」となった場合には、この対応付けに基づき、現実のストップスイッチ54の操作順序に対応した当選役を優先的に入賞させるように停止制御を行うようになっている。これにより、回転リール23の回転を停止する動作が単調になることを防止できるため、遊技の興趣が損なわれずに済む。
【００８２】
また、第２の実施の形態では、ミッション開始以後３０ゲームの間、スイカ当選役に入賞しなければ、アシストタイムを開始するようになっている。そして、「ベル当選役」及び「スイカ当選役」に重複当選した場合におけるストップスイッチ54の操作順序に対応する当選役は、入賞判定情報記憶手段200の記憶する回数に基づいて決定し直すようになっている。したがって、遊技者はミッションを達成するために、ストップスイッチ54を操作する際に様々な操作順序を試みるようになることから、遊技が単調にならず興趣を増すことができる。
なお、第２の実施の形態において、入賞判定情報記憶手段200に代えて、過去の複数ゲームにおける当選抽選手段130の抽選結果に関する情報を記憶する抽選結果情報記憶手段を設け、操作順序対応当選役決定手段は、複数個のストップスイッチ54について互いに異なる複数の操作順序のそれぞれに、重複当選する複数の当選役のいずれか一つを、抽選結果情報記憶手段の記憶に基づいて対応付けるようにしてもよい。また、抽選結果情報記憶手段は、過去の複数ゲームにおける当選抽選手段130の抽選結果に関する情報として、優先入賞当選役を含む複数の当選役に重複当選した回数を記憶し、操作順序対応当選役決定手段は、抽選結果情報記憶手段の記憶する回数が所定回数に達したことを契機に、改めて対応付けを行うようにしてもよい。
【００８３】
具体的には、例えば、第２の実施の形態に係る遊技制御装置100のＲＯＭには、「二連チェリー優先停止テーブル」が設けられているが、これに加え、上述の「フラワー優先停止テーブル」を設ける。また、入賞判定情報記憶手段200に代えて、当選抽選手段130の抽選により「２Ｆ重複当選」した回数を記憶する抽選結果情報記憶手段を設ける。そして、操作順序対応当選役決定手段は、抽選結果情報記憶手段の記憶する回数が所定回数に達したことを契機に、１個目に左ストップスイッチ54Lが操作される操作順序、１個目に中央ストップスイッチ54Mが操作される操作順序、または１個目に右ストップスイッチ54Rが操作される操作順序のいずれか一つに「二連チェリー当選役」を対応付け、残りの操作順序に「フラワー当選役」を対応付ける。そして、停止制御手段160は、当選抽選手段130の抽選により「２Ｆ重複当選」となった場合において、１個目のストップスイッチ54の操作を契機に、操作されたストップスイッチ54に対応する当選役を優先的に入賞させる停止テーブルが選択する。つまり、対応する当選役が「二連チェリー当選役」である場合には、「二連チェリー優先停止テーブル」を選択し、対応する当選役が「フラワー当選役」である場合には、「フラワー優先停止テーブル」を選択する。これにより、当選抽選手段130の抽選により「２Ｆ重複当選」となった場合に、「二連チェリー当選役」または「フラワー当選役」のいずれか一方の図柄の組み合わせが優先的に揃い得るようになる。
【００８４】
ここで、ストップスイッチ54の操作時における回転リール23の回転位置によっては、滑りコマ数「０」ないし「４」の範囲で有効ライン37に「フラワー当選役」の図柄の組み合わせを揃えられないことがある。「フラワー優先停止テーブル」は、このような場合について、「二連チェリー当選役」の図柄の組み合わせを有効ライン37に揃い得るように滑りコマ数を規定してもよいし、揃わないように滑りコマ数を規定してもよい。また、ストップスイッチ54の操作時における回転リール23の回転位置によっては、滑りコマ数「０」ないし「４」の範囲で有効ライン37に「二連チェリー当選役」の図柄の組み合わせを揃えられないことがある。「二連チェリー優先停止テーブル」は、このような場合について、「フラワー当選役」の図柄の組み合わせを有効ライン37に揃い得るように滑りコマ数を規定してもよいし、揃わないように滑りコマ数を規定してもよい。
【００８５】
なお、本発明は、上述した実施の形態に限定されるものではなく、本発明の目的を達成できる範囲における変形や改良も含むものである。また、本発明は、上述した実施の形態を適宜組み合わせる、または組み替えることもできる。
【符号の説明】
【００８６】
1  筐体                              23  回転リール
53  スタートスイッチ                  54  ストップスイッチ
130 当選抽選手段                      160 停止制御手段
170 入賞判定手段                      210 入賞判定情報記憶手段
220 優先入賞決定手段
【図１】
2010259707.tif 000003
【図２】
2010259707.tif 000004
【図３】
2010259707.tif 000005
【図４】
2010259707.tif 000006
【図５】
2010259707.tif 000007
【図６】
2010259707.tif 000008
【図７】
2010259707.tif 000009
【図８】
2010259707.tif 000010
【図９】
2010259707.tif 000011
【図１０】
2010259707.tif 000012
【図１１】
2010259707.tif 000013